(57)【要約】【課題】美観的にも十分に優れ、かつ災害時にも安全で、卓上も利用可能な固定構造を提供することを課題としている。【解決手段】卓上に監視用ＣＲＴを設置するための固定構造において、前記ＣＲＴの脚部を収納する収納部を前記卓の上板裏側に設け、該収納部を被覆するための中央に穴を設けた平板カバーを着脱自在に固定したことを特徴としている。【選択図】  図１
2004165714.tif 000002
【特許請求の範囲】
【請求項１】
卓上に監視用ＣＲＴを設置するための固定構造において、前記ＣＲＴの脚台を収納する収納部を前記卓の上板裏側に設け、該収納部を被覆するための中央に穴を設けた平板カバーを着脱自在に固定したことを特徴とする監視用ＣＲＴの固定構造。
【請求項２】
前記平板カバーを分割すると共に該平板カバーの表面が固定状態で前記卓の上板表面と一致するようにしたこと特徴とする請求項１に記載の監視用ＣＲＴの固定構造。
【請求項３】
前記収納部の内側周囲に前記平板カバーを固定するための固定部材を固設したことを特徴とする請求項１又は請求項２の何れか１に記載の監視用ＣＲＴの固定構造。
【請求項４】
前記卓及び前記平板カバーは金属製であることを特徴とする請求項１乃至請求項３の何れか１に記載の監視用ＣＲＴの固定構造。
【発明の詳細な説明】
【０００１】
【発明の属する技術分野】
この発明は、監視用のＣＲＴ等の重量物を卓上に固定する技術分野に属する。
【０００２】
【従来の技術】
従来監視用のＣＲＴ等を卓上に設置する場合は図５（Ａ）に示すように、ＣＲＴ５１を卓５２上に載置し、ＣＲＴ５１の脚台５１ａを固定する取付金具５３をネジ手段５４で卓表面に固定する方法が採用されていた。この従来の固定方法（以下、従来構造１という）は、一様固定はできるものの、卓上が煩雑で美観を損ねるという問題があり、また、突出部があるために作業者に怪我を負わせる危険性もあり課題であった。更に、卓上を他の目的に利用できないので、省スペース化が図れないと課題もあった。
【０００３】
また、従来の別の固定手段として、図５（Ｂ）に示すように、両端に接着片５６を有するベロクロテープ５７で固定する方法も行われていた。この固定方法（以下、従来構造２という）は、固定作業が簡単であるが、固定が不完全であり、災害時にはＣＲＴ５１が転倒する恐れもあり危険であった。更に、美観を損ねるという点でも問題であった。
【０００４】
更に、別の従来装置として、公開特許公報（特開平９−１１４５４５）に開示されているものがある。この装置（以下、従来構造３という）は図６に、また、固定方法を図７に示す。この従来装置は、図６に示すように、机６２の天板６３を切り欠いた長方形の凹部をなし、この凹部にＣＲＴ６１のベース部６５を設置するための装置設置面６３ａと、凹部の対向する２つの壁面６９に設けられた装置設置面６３ａに平行な案内溝（図示省略）と、装置設置面６３ａ上に配置されかつ案内溝に案内されて移動し、ベース部６５の側部を両側から挟持する一対の固定部材６４とから構成され、固定部材６４の両端部には、ロック機能を有するロックボタン６７と、一端がロックボタン６７の動作に連動する押さえピン６８（図示省略）とからなり、固定部材６４を装置設置面６３ａ任意の位置に制止し固定する係止手段をそれぞれ内蔵している。
【０００５】
この装置の固定方法は、図７（ａ）〜（ｃ）に示す手順で行われる。（ａ）先ず、机６２の天板６３上の装置設置面６３ａに設けられている一対の固定部材６４をＣＲＴ６１のベース部６５が入る程度にまで前後方向に広げておき、ＣＲＴ６１を装置設置面６３ａ上の任意の位置に設置する。（ｂ）続いて、固定部材６４をベース部６５の前後に移動させ、がたつきのないように押圧しながら挟持する。（ｃ）ここで、ロックボタン６７を押すことにより、押さえピンの他端が案内溝の壁面に当接し係合する。これによりＣＲＴ６１はそのベース部６５がゴム６６を介して固定部材６４に確実に挟持される。
【０００６】
この従来装置においては、ＣＲＴを固定した状態では固定部材６４と天板６３の凹部壁面６９との間に細い溝が生じ、また、ＣＲＴの側面両側にも細い溝が生じる。従って、この溝に埃やごみ等が溜まり易く、掃除が困難であるという問題がある。更に、全体の見映も煩雑な感じを与えるという欠点もある。また、災害時の振動に対してベース部６５を挟持しただけでは固定の強度が不十分であるだけでなく、掃除の際或いは無意識の間に誤ってロックボタンが解除される可能性もあり、更に長期間の間にゴムが劣化して挟持力を失う恐れもある。けだし、災害は何時起きるか予測しがたいものであるから長期間にわたって安全を維持する必要があるからである。
【０００７】
【発明が解決しようとする課題】
上記に説明したように、従来構造１〜従来構造３においては、美観を損ねるという課題があるだけでなく、安全性も十分に確保されず、卓上を広く利用できないという課題もあった。
本発明は、上記課題を解決し、美観的にも十分に優れ、かつ災害時にも安全で、卓上も広く利用可能な固定構造を提供することを課題としている。
【０００８】
【課題を解決するための手段】
上記課題を解決するために本発明は以下の手段を採用している。即ち、
請求項１記載の発明は、卓上に監視用ＣＲＴを設置するための固定構造において、前記ＣＲＴの脚台を収納する収納部を前記卓の上板裏側に設け、該収納部を被覆するするための中央に穴を設けた平板を着脱自在に固定したことを特徴としている。
請求項１記載の発明は、脚台を卓上からなくして、卓上表面を広くすると共にすっきりさせたことを主たる特徴としている。
【０００９】
請求項２に記載の発明は、請求項１の発明において、前記平板を分割すると共に該平板の表面が固定状態で前記卓の表面と一致するようにしたこと特徴としている。
請求項２記載の発明は、平板カバーの固定作業を容易にすると共に、美観を向上させたことを主たる特徴としている。
【００１０】
請求項３記載の発明は、請求項１又は請求項２の何れか１に記載の発明において、前記収納部の内側周囲に前記平板を固定するためのアングル部材を固設したことを特徴としている。
請求項３記載の発明は、固定作業を容易にすると共に、災害時にも転倒を防止して安全を図ったことを主たる特徴としている。
また、請求項４記載の発明は、請求項１〜請求項３の何れか１に記載の発明において、前記卓及び前記平板カバーは金属製であることを特徴としている。
【００１１】
【発明の実施形態】
図１は本発明を実施した実施形態の全体斜視図である。図１において、卓上板１１の裏側部部分に監視用ＣＲＴ１２の脚台（図示省略）を収納する収納部１４が設けられている。また、卓上板１１の表面から上にはＣＲＴ１２の脚柱部１２ｂと表示部本体１２ｃが突出しており、収納部１４は平板カバー１５によって被覆されている。平板カバー１５は前後方向に中央で２分割され、分割された中央部分に脚柱部１２ｂが貫通可能にする穴１５ｂが設けられている。また、平板カバー１５の表面の高さレベルは卓上板１１の表面高さレベルと一致させて、頭部が皿状になっているネジ手段１７によって固定されている。なお、卓上板１１、収納部１４、平板カバー１５等の材質は金属製であっても良いし、木材又は化学物質からなる合成部材、或いは張り合わせた合板製であっても良い。
【００１２】
図２はＣＲＴ１２がない状態の収納部１４と平板カバー１５の組立分解図を示し、図３は図２のＸ−Ｘから見た組立分解図を示す。図２、図３において、収納部１４は卓上板１１に固設して又は一体的に設けられている。収納部１４の深さはＣＲＴ１２の脚台１２ａが丁度収まる程度の深さであって、浅すぎてはいけないが、深すぎるのも好ましくない。また、収納部１４の内側内壁に平板カバー１５の厚さ分だけ沈んだ位置に金属製アングルから構成される平板カバー１５の固定部材１８が固設されている。
【００１３】
平板カバー１５は図視のように、略中央で２分割し、分割線の略中央の両側にＣＲＴ１２の脚柱部１２ｂを貫通させる穴１５ｂが設けられている。従って、本実施形態では脚柱部１２ｂを両側から挟むようにして着脱が可能である。穴１５ｂの大きさは適度の隙間を持って脚柱部１２ｂが貫通できるように構成する。隙間が大きすぎると美観を損なうだけでなく、隙間から筆記用具等の品物が落ちたりするので不便である。従って、隙間を埋めるための詰め物をし、或いはスポンジ等の材料を脚柱部１２ｂに巻いて不便をなくし、美観を向上させても良い。
【００１４】
図４は固定部材１８の構成を示す。図４（Ａ）は全体斜視図で、図４（Ｂ）はＹ−Ｙから見た断面図を示す。図４に示すように、固定部材１８は金属製アングルを矩形状のリングで構成するのが望ましいが、４個のアングル部材で構成し、リングになっていなくても良い。また、平板カバー１５、固定部材１８、及び収納部１４の底板１４ａにはネジ１７を貫通させ、固定するための複数個の小穴１９が設けられている。ネジ１７は底板１４ａの下側からナット２０、スプリングワッシャ２１で固定される。また、ネジ１７の頭部１７ａは皿状になっており、卓上板１１の表面と一致するように構成されている。なお、ネジ１７は固定部材１８の下側にナットを固設しておいて、そのナットで固定するように構成してもよい。
【００１５】
以上に本実施形態についての説明から判断されるように、本実施形態のＣＲＴ固定構造は美観に優れているだけでなく、災害時にも転倒をすることがなく安全である。さらに、卓上表面のスペースが広く他の作業（例えば、作業日誌の作成等）も行えて、省スペース化が図られている。
【００１６】
以上、この発明の実施形態、実施例を図面により詳述してきたが、具体的な構成はこの実施例に限られるものではなく、この発明の要旨を逸脱しない範囲の設計の変更等があってもこの発明に含まれる。
【００１７】
【発明の効果】
以上説明したように、この発明の構成によれば、転倒の危険性がなく安全性と美観が得られるという効果が得られる。さらに、省スペース化を図るという効果も得られる。
【図面の簡単な説明】
【図１】本実施形態の固定構造全体斜視図を示す。
【図２】本実施形態の収納部と平板カバーの組立分解図を示す。
【図３】図２のＸ−Ｘから見た組立分解図を示す。
【図４】（Ａ）、（Ｂ）は本実施形態の固定部材の構成と断面図を示す。
【図５】（Ａ）、（Ｂ）は従来の固定構造例を示す。
【図６】別の従来装置の固定構造を示す。
【図７】（Ａ）〜（Ｃ）は図６の従来装置の固定方法の手順を示す。
【符号の説明】
１１    卓上板
１２    ＣＲＴ
１２ａ  脚台
１２ｂ  脚柱
１２ｃ  表示部本体
１４    収納部
１５    平板カバー
１５ｂ  穴
１７    皿ネジ
１８    固定部材
【図１】
2004165714.tif 000003
【図２】
2004165714.tif 000004
【図３】
2004165714.tif 000005
【図４】
2004165714.tif 000006
【図５】
2004165714.tif 000007
【図６】
2004165714.tif 000008
【図７】
2004165714.tif 000009